(57)【要約】  本発明に従い、板厚を100mm以上とし、板厚中心部における板厚方向引張による絞り値を40％以上とすることによって、合金元素の添加量を増やす必要がある厚肉の高強度鋼板においても、設備の大型化をせずに、板厚中心部の強度・靭性に優れる厚肉高張力鋼を得ることができる。
2015140846.tif 000002
【特許請求の範囲】
【請求項１】
板厚中心部における板厚方向引張による絞り値が40％以上であり、板厚：100mm以上である厚肉高靭性高張力鋼板。
【請求項２】
質量％で、Ｃ:0.08〜0.20％、Si:0.40％以下、Mn:0.5〜5.0％、Ｐ:0.015％以下、Ｓ:0.0050％以下、Cr:3.0％以下、Ni:5.0％以下、Ti:0.005〜0.020％、Al:0.080％以下、Ｎ:0.0070％以下およびＢ:0.0030％以下を含有し、かつ以下の（１）式の関係を満たし、残部はFeおよび不可避的不純物からなる請求項１に記載の厚肉高靭性高張力鋼板。
CeqIIW ＝ Ｃ+Mn/6+(Cu+Ni)/15+(Cr+Mo+Ｖ)/5 ≧ 0.57・・・（１）
上式において各元素記号は鋼中の含有量（質量％）とし、含有しないものは０として計算する。
【請求項３】
さらに、質量％で、Cu:0.50％以下、Mo:1.50％以下、Ｖ:0.200％以下およびNb:0.100％以下のうちから選んだ１種または２種以上を含有する請求項２に記載の厚肉高靭性高張力鋼板。
【請求項４】
さらに、質量％で、Mg:0.0005〜0.0100％、Ta：0.01〜0.20％、Zr:0.005〜0.1％、Ｙ:0.001〜0.01％、Ca:0.0005〜0.0050％およびREM:0.0005〜0.0200％のうちから選んだ１種または２種以上を含有することを特徴とする請求項２または３に記載の厚肉高靭性高張力鋼板。
【請求項５】
降伏強度が620MPa以上であって、靭性（VE-40）が70Ｊ以上である請求項１〜４のいずれかに記載の厚肉高靭性高張力鋼板。
【請求項６】
請求項１〜５のいずれかに記載の厚肉高靭性高張力鋼板を製造する方法であって、連続鋳造スラブを、1200〜1350℃に加熱後、対向する金型の短辺のうち短い方を１とした場合に、これに対向する金型の短辺の長さが1.1〜3.0となる金型を用いて、1000℃以上で、歪速度を３/s以下とし、累積圧下量を15％以上とする熱間鍛造を行った後、熱間圧延を行い、その後、焼入れ焼戻しをする厚肉高靭性高張力鋼板の製造方法。
【請求項７】
請求項１〜５のいずれかに記載の厚肉高靭性高張力鋼板を製造する方法であって、連続鋳造スラブを、1200〜1350℃に加熱後、対向する金型の短辺のうち短い方を１とした場合に、これに対向する金型の短辺の長さが1.1〜3.0となる金型を用いて、1000℃以上で、歪速度を３/s以下とし、累積圧下量を15％以上とする熱間鍛造を行った後、放冷し、再度、Ac3点〜1250℃に加熱後、１パス当たりの圧下率が４％以上のパスを少なくとも２回以上行う熱間圧延を行った後、放冷して、Ac3点〜1050℃に再加熱し、さらにAr3点〜350℃になるまで急冷した後、450〜700℃の範囲で焼戻しをする厚肉高靭性高張力鋼板の製造方法。
【請求項８】
前記厚肉高靭性高張力鋼板における加工前の素材からの圧下比を３以下とする請求項６または７に記載の厚肉高靭性高張力鋼板の製造方法。
【請求項９】
前記熱間鍛造時に、圧下率が１パス当たり５％以上の鍛造を１回以上適用する請求項６〜８のいずれかに記載の厚肉高靭性高張力鋼板の製造方法。
【請求項１０】
前記熱間鍛造時に、圧下率が１パス当たり７％以上の鍛造を１回以上適用する請求項６〜８のいずれかに記載の厚肉高靭性高張力鋼板の製造方法。
【請求項１１】
前記熱間鍛造時に、少なくとも１パスを、該パスの最大荷重×0.9以上最大荷重以下の負荷荷重における累積経過時間を３s以上とする請求項６〜１０のいずれかに記載の厚肉高靭性高張力鋼板の製造方法。
【発明の詳細な説明】
【技術分野】
【０００１】
本発明は、建築、橋梁、造船、海洋構造物、建産機、タンクおよびペンストックなどの鉄鋼構造物に用いられる、強度と靭性および溶接性に優れる厚鋼板およびその製造方法に関し、特に、板厚：100mm以上で、かつ板厚中心部における板厚方向引張による絞り値が40％以上である厚肉高靭性高張力鋼板とその製造方法を提供しようとするものである。
【背景技術】
【０００２】
建築、橋梁、造船、海洋構造物、建産機、タンクおよびペンストック等の各分野で鋼材が使用される場合には、鉄鋼構造物の形状に対応して、溶接により所望の形状に仕上げられる。近年、鉄鋼構造物の大型化が著しく進展しており、使用される鋼材の高強度化や厚肉化が顕著に進んでいる。【０００３】
板厚：100mm以上の厚肉の鋼板は、通常、造塊法により製造された大型鋼塊を分塊圧延し、得られた分塊スラブを熱間圧延することによって製造されている。しかし、この造塊-分塊プロセスは押湯部の濃厚偏析部や、鋼塊底部の負偏析部を切り捨てる必要があるため、歩留まりが上がらず、製造コストの上昇や、工期が長くなるという課題がある。【０００４】
一方、板厚：100mm以上の厚肉の鋼板の製造を、連続鋳造スラブを素材とするプロセスで行った場合、上記の懸念はないものの、連続鋳造スラブの厚さが造塊法で製造されたスラブに比べて小さいため、製品厚までの圧下量が少ないという問題がある。また、近年では、一般的に鋼材の高強度化や、厚肉化が要求される傾向にあり、必要な特性を確保するために添加される合金元素量が増加し、結果、中心偏析に起因するセンターポロシティの発生や、大型化による内質の劣化などが新たな問題として発生している。【０００５】
これらの問題を解決するために、連続鋳造スラブから極厚鋼板を製造する過程で、センターポロシティを圧着して、鋼板内の中心偏析部の特性を改善することを目的に、以下のような技術が提案されている。【０００６】
例えば、非特許文献１では、連続鋳造スラブの熱間圧延時の圧延形状比を大きくすることによって、センターポロシティを圧着する技術が記載されている。【０００７】
また、特許文献１および２では、連続鋳造スラブを製造する際に、連続鋳造機中でロールまたは平金敷を用いて加工することにより、連続鋳造スラブのセンターポロシティを圧着する技術が記載されている。【０００８】
特許文献３では、連続鋳造スラブから累積圧下率が70％以下の厚肉鋼板を製造する際に、熱間圧延前に鍛造加工することによりセンターポロシティの圧着を図る技術が記載されている。【０００９】
特許文献４では、全圧下率：35〜67％の鍛造および厚板圧延により連続鋳造スラブから極厚鋼板を製造するに当たり、鍛造前に素材の板厚中心部を1200℃以上の温度に20時間以上保持し、鍛造の圧下率を16％以上として、センターポロシティの消滅に加え、中心偏析帯を軽減して、耐焼もどし脆化特性の改善を図る技術が記載されている。【００１０】
特許文献５には、連続鋳造スラブにクロス鍛造を実施した後、熱間圧延することによって、センターポロシティと中心偏析の改善を図る技術が記載されている。【００１１】
特許文献６には、連続鋳造スラブを1200℃以上の温度に20時間以上保持し、鍛造の圧下率を17％以上とし、厚板圧延は鍛造を含めた全圧下率が23〜50％の範囲で行い、厚板圧延後に２回焼入れ処理を行うことで、センターポロシティの消滅に加え、中心偏析帯を軽減した引張強さ588MPa以上の厚鋼板の製造方法に関する技術が記載されている。【００１２】
特許文献７には、特定の成分を有する連続鋳造スラブを、1100〜1350℃に再加熱して1000℃以上における歪速度を0.05〜３/ｓ、累積圧下量を15％以上とする溶接性と板厚方向の延性に優れる厚鋼板の製造方法に関する技術が記載されている。
【先行技術文献】
【特許文献】
【００１３】
【特許文献１】特開昭５５−１１４４０４号公報
【特許文献２】特開昭６１−２７３２０号公報
【特許文献３】特許第３３３３６１９号公報
【特許文献４】特開２００２−１９４４３１号公報
【特許文献５】特開２０００−２６３１０３号公報
【特許文献６】特開２００６−１１１９１８号公報
【特許文献７】特開２０１０−１０６２９８号公報
【非特許文献】
【００１４】
【非特許文献１】鉄と鋼, 66（1980）, 201-210頁
【発明の概要】
【発明が解決しようとする課題】
【００１５】
しかしながら、非特許文献１に記載の技術では、内質の良好な鋼板を得るために圧延形状比の高い圧延を繰り返し行う必要があるが、圧延機の設備仕様の上限を超える範囲となり、製造上の課題がある。また、通常の方法で圧延すると、板厚中心部の加工が不十分となって、センターポロシティが残存し内質が劣化する懸念がある。【００１６】
また、特許文献１および２に記載された技術は、板厚：100mm以上の厚鋼板を製造するためには連続鋳造設備を大型化する必要があり、大規模な設備投資を必要とするという課題がある。【００１７】
さらに、特許文献３〜７に記載された技術は、センターポロシティの低減や、中心偏析帯の改善には有効であるものの、降伏強度が620MPa以上の合金添加量の多い厚肉鋼板の製造に適用する場合には、材料の高強度化により欠陥感受性が高まるため、板厚中心部の伸びおよび靭性がいずれも不十分である。【００１８】
本発明は、上記した問題を有利に解決するもので、合金元素の添加量を増やす必要がある厚肉の高強度厚鋼板においても、連続鋳造設備や圧延機の大型化をせずに板厚中心部の強度・靭性に優れる厚肉高張力鋼板とその製造方法を提供することを目的とする。なお、対象とする厚肉高張力鋼板の板厚は100mm以上とする。
【課題を解決するための手段】
【００１９】
発明者らは、上記課題を解決するために、特に、板厚：100mm以上の厚鋼板を対象に、板厚中心部における強度、靭性と伸びに関して、鋼板内部のミクロ組織制御因子について鋭意研究を行い、以下の知見を得た。【００２０】
（Ａ）  鋼板表面に比べて著しく冷却速度が低下する板厚中心部において、良好な強度および靭性を得るためには、鋼組成を適切に選定することで、低下した冷却速度であっても、ミクロ組織を、マルテンサイトおよび／またはベイナイト組織とすることが重要である。【００２１】
（Ｂ）  高強度化により延性が低下しやすく、延性に対する欠陥の感受性が高まる厚鋼板の板厚中心部において良好な延性を確保するためには、熱間鍛造時の金型の形状および総圧下量と、その時の歪速度、１パス当たりの圧下率および加工時間を管理して、センターポロシティを圧着し無害化することが重要である。【００２２】
すなわち、本発明は、上記した知見に、さらに検討を加えてなされたものであって、本発明の要旨構成は次のとおりである。
１．板厚中心部における板厚方向引張による絞り値が40％以上であり、板厚：100mm以上である厚肉高靭性高張力鋼板。【００２３】
２．質量％で、Ｃ:0.08〜0.20％、Si:0.40％以下、Mn:0.5〜5.0％、Ｐ:0.015％以下、Ｓ:0.0050％以下、Cr:3.0％以下、Ni:5.0％以下、Ti:0.005〜0.020％、Al:0.080％以下、Ｎ:0.0070％以下およびＢ:0.0030％以下を含有し、かつ以下の（１）式の関係を満たし、残部はFeおよび不可避的不純物からなる前記１に記載の厚肉高靭性高張力鋼板。
CeqIIW ＝ Ｃ+Mn/6+(Cu+Ni)/15+(Cr+Mo+Ｖ)/5 ≧ 0.57・・・（１）
上式において各元素記号は鋼中の含有量（質量％）とし、含有しないものは０として計算する。【００２４】
３．さらに、質量％で、Cu:0.50％以下、Mo:1.50％以下、Ｖ:0.200％以下およびNb:0.100％以下のうちから選んだ１種または２種以上を含有する前記２に記載の厚肉高靭性高張力鋼板。【００２５】
４．さらに、質量％で、Mg:0.0005〜0.0100％、Ta：0.01〜0.20％、Zr:0.005〜0.1％、Ｙ:0.001〜0.01％、Ca:0.0005〜0.0050％およびREM:0.0005〜0.0200％のうちから選んだ１種または２種以上を含有することを特徴とする前記２または３に記載の厚肉高靭性高張力鋼板。【００２６】
５．降伏強度が620MPa以上であって、靭性（VE-40）が70Ｊ以上である前記１〜４のいずれかに記載の厚肉高靭性高張力鋼板。【００２７】
６．前記１〜５のいずれかに記載の厚肉高靭性高張力鋼板を製造する方法であって、連続鋳造スラブを、1200〜1350℃に加熱後、対向する金型の短辺のうち短い方を１とした場合に、これに対向する金型の短辺の長さが1.1〜3.0となる金型を用いて、1000℃以上で、歪速度を３/s以下とし、累積圧下量を15％以上とする熱間鍛造を行った後、熱間圧延を行い、その後、焼入れ焼戻しをする厚肉高靭性高張力鋼板の製造方法。【００２８】
７．前記１〜５のいずれかに記載の厚肉高靭性高張力鋼板を製造する方法であって、連続鋳造スラブを、1200〜1350℃に加熱後、対向する金型の短辺のうち短い方を１とした場合に、これに対向する金型の短辺の長さが1.1〜3.0となる金型を用いて、1000℃以上で、歪速度を３/s以下とし、累積圧下量を15％以上とする熱間鍛造を行った後、放冷し、再度、Ac3点〜1250℃に加熱後、１パス当たりの圧下率が４％以上のパスを少なくとも２回以上行う熱間圧延を行った後、放冷して、Ac3点〜1050℃に再加熱し、さらにAr3点〜350℃になるまで急冷した後、450〜700℃の範囲で焼戻しをする厚肉高靭性高張力鋼板の製造方法。【００２９】
８．前記厚肉高靭性高張力鋼板における加工前の素材からの圧下比を３以下とする前記６または７に記載の厚肉高靭性高張力鋼板の製造方法。【００３０】
９．前記熱間鍛造時に、圧下率が１パス当たり５％以上の鍛造を１回以上適用する前記６〜８のいずれかに記載の厚肉高靭性高張力鋼板の製造方法。【００３１】
１０．前記熱間鍛造時に、圧下率が１パス当たり７％以上の鍛造を１回以上適用する前記６〜８のいずれかに記載の厚肉高靭性高張力鋼板の製造方法。【００３２】
１１．前記熱間鍛造時に、少なくとも１パスを、該パスの最大荷重×0.9以上最大荷重以下の負荷荷重における累積経過時間を３s以上とする前記６〜１０のいずれかに記載の厚肉高靭性高張力鋼板の製造方法。
【発明の効果】
【００３３】
本発明によれば、母材の降伏強度および靭性に優れた板厚：100mm以上の厚鋼板が得られ、鉄鋼構造物の大型化、鉄鋼構造物の安全性の向上、歩留まりの向上、製造工期の短縮に大きく寄与するので、産業上極めて有用である。特に、従来、十分な板厚中心部の特性が得られなかった加工前の素材からの圧下比が３以下となる場合でも、連続鋳造設備の大型化などの対策を行わずに良好な特性が得られる効果をもたらす。
【図面の簡単な説明】
【００３４】
【図１】対向する金型の短辺を示す図である。
【図２】素材（鋼板）中の相当塑性ひずみを計算した結果を示す図である。
【発明を実施するための形態】
【００３５】
以下、本発明を具体的に説明する。
本発明は、板厚：100mm以上の鍛造材であって、板厚中心部における板厚方向引張による絞り値が40％以上であることを特徴としている。鋼中のセンターポロシティを圧着してそのサイズを100μm以下にし、実質無害化することができるからである。
また、前記の厚肉高張力鋼板は、降伏強度が620MPa以上である特徴を備えており、鉄鋼構造物の大型化や、鉄鋼構造物の安全性の向上を図ることができる。なお、上記特性は、従来技術では困難であった加工前の素材からの圧下比が３以下の範囲でも得られる。
【００３６】
次に、本発明における、鋼板成分の好適範囲を説明する。なお、鋼板成分における各元素の含有量の％表示は全て、質量％である。
Ｃ:0.08〜0.20％
Ｃは、構造用鋼に求められる強度を安価に得るために有用な元素であり、その効果を得るためには0.08％以上の添加が好ましい。一方、0.20％を超えて含有すると、母材および溶接熱影響部の靭性を顕著に劣化させるため上限を0.20％とするのが好ましい。より好ましくは0.08〜0.14％である。
【００３７】
Si:0.40％以下
Siは、脱酸のために添加するが、0.40％を超えて添加すると母材および溶接熱影響部の靭性が顕著に低下するため、Si量は0.40％以下が好ましい。より好ましくは0.05〜0.30％の範囲である。さらに好ましくは0.1〜0.30％の範囲である。
【００３８】
Mn:0.5〜5.0％
Mnは、母材強度を確保する観点から添加するが、0.5％未満の添加ではその効果が十分でない一方で、5.0％を超えて添加すると、母材の靭性が劣化するだけではなく、中心偏析を助長し、スラブのポロシティを大型化するため上限は5.0％が好ましい。より好ましくは0.6〜2.0％の範囲である。さらに好ましくは0.6〜1.6％の範囲である。
【００３９】
Ｐ:0.015％以下
Ｐは、0.015％を超えて含有すると、母材および溶接熱影響部の靭性を著しく低下させるため0.015％以下に制限するのが好ましい。なお、下限値は特に限定されず０％であっても良い。
【００４０】
Ｓ:0.0050％以下
Ｓは、0.0050％を超えて含有すると、母材および溶接熱影響部の靭性を顕著に低下させるため、0.0050％以下とするのが好ましい。なお、下限値は特に限定されず０％であっても良い。
【００４１】
Cr:3.0％以下
Crは、母材の高強度化に有効な元素であるが、多量に添加すると溶接性を低下させるので、3.0％以下とするのが好ましい。製造コストの観点からより好ましくは、0.1〜2.0％である。
【００４２】
Ni:5.0％以下
Niは、鋼の強度および溶接熱影響部の靭性を向上させる有益な元素であるが、5.0％を超えて添加すると、経済性が著しく低下するため、Ni量の上限は5.0％以下とすることが好ましい。より好ましくは、0.5〜4.0％である。
【００４３】
Ti：0.005〜0.020％
Tiは加熱時にTiNを生成し、オーステナイト粒の粗大化を効果的に抑制し、母材および溶接熱影響部の靭性を向上させる。しかし、0.020％を超えて添加すると、Ti窒化物が粗大化し母材の靭性を低下させるので、Tiを添加する場合は、Ti量は0.005〜0.020％の範囲とするのが好ましい。より好ましくは、0.008〜0.015％の範囲である。
【００４４】
Al:0.080％以下
Alは、溶鋼を十分に脱酸するために添加されるが、0.080％を超えて添加すると母材中に固溶するAl量が多くなり、母材靭性を低下させるので、Al量は0.080％以下とするのが好ましい。より好ましくは、0.020〜0.080％の範囲である。さらに好ましくは、0.020〜0.060％の範囲である。
【００４５】
Ｎ:0.0070％以下
Ｎは、Tiなどと窒化物を形成することによって組織を微細化し、母材および溶接熱影響部の靭性を向上させる効果を有するが、0.0070％を超えて添加すると、母材中に固溶するＮ量が増大し、母材靭性が著しく低下し、さらに溶接熱影響部においても粗大な炭窒化物を形成し靭性を低下させるので、Ｎ量は0.0070％以下とするのが好ましい。より好ましくは、0.0050％以下、さらに好ましくは0.0040％以下である。
【００４６】
Ｂ:0.0030％以下
Ｂは、オーステナイト粒界に偏析することで粒界からのフェライト変態を抑制し、焼入性を高める効果を有するが、0.0030％を超えて添加すると、炭窒化物として析出し焼入性を低下させ、靭性が低下するので0.0030％以下とするのが好ましい。Ｂを添加する場合は、0.0003〜0.0030％の範囲とするのがより好ましい。さらに好ましくは0.0005〜0.0020％の範囲である。
【００４７】
本発明の高張力鋼は、上記元素に加えて、さらに強度・靭性を高める目的でCu、Mo、ＶおよびNbの中から選んだ１種類または２種類以上を含有することができる。
Cu: 0.50％以下
Cuは、靭性を損なうことなく鋼の強度の向上が図れるが、0.50％より多く添加すると熱間加工時に鋼板表面に割れを生じるので0.50％以下とする。
【００４８】
Mo:1.50％以下
Moは、母材の高強度化に有効な元素であるが、1.50％を超えて添加すると硬質の合金炭化物の析出による強度の上昇を引き起こして靭性を低下させるので、上限を1.50％とするのが好ましい。より好ましくは、0.02〜0.80％の範囲である。
【００４９】
Ｖ:0.200％以下
Ｖは、母材の強度・靭性の向上に効果があり、また、VNとして析出することで、固溶Ｎの低減に有効であるが、0.200％を超えて添加すると、硬質なVCの析出によって鋼の靭性が低下するので、Ｖを添加する場合は、0.200％以下とするのが好ましい。より好ましくは、0.010〜0.100％の範囲である
【００５０】
Nb:0.100％以下
Nbは、母材の強度の向上に効果があるため有効であるが、0.100％を超える添加は母材の靭性を顕著に低下させるため上限を0.100％とする。好ましくは、0.025％以下である。
【００５１】
本発明の高張力鋼は、上記成分に加えて、さらに材質を改善する目的でMg、Ta、Zr、Ｙ、CaおよびREMの中から選んだ１種類または２種類以上を含有することができる。
【００５２】
Mg:0.0005〜0.0100％
Mgは、高温で安定な酸化物を形成し、溶接熱影響部のオーステナイト粒の粗大化を効果的に抑制し、溶接部の靭性を向上させるのに有効な元素である。この効果を得るためには、0.0005％以上の添加が有効である。一方、0.0100％を超えて添加すると、介在物量が増加し靭性が低下するので、Mgを添加する場合は、0.0100％以下とするのが好ましい。より好ましくは、0.0005〜0.0050％の範囲である。
【００５３】
Ta:0.01〜0.20％
Taは、適正量添加すると、強度向上に有効である。しかし、その添加量が0.01％未満の場合では明瞭な効果が得られない一方で、0.20％を超える場合は析出物生成によって靭性が低下するため、添加量は0.01〜0.20％とするのが好ましい。
【００５４】
Zr:0.005〜0.1％
Zrは、強度上昇に有効な元素であるが、添加量が0.005％未満の場合は顕著な効果が得られない一方で、0.1％を超える添加の場合には、粗大な析出物を生成して、鋼の靭性が低下するため、添加量は0.005〜0.1％とする。
【００５５】
Ｙ:0.001〜0.01％
Ｙは、高温で安定な酸化物を形成し、溶接熱影響部のオーステナイト粒の粗大化を効果的に抑制し、溶接部の靭性を向上させるのに有効な元素である。しかし、0.001％未満の添加では効果が得られず、0.01％を超えて添加すると、介在物量が増加し靭性が低下するので、添加量は、0.001〜0.01％とする。
【００５６】
Ca:0.0005〜0.0050％
Caは、硫化物系介在物の形態制御に有用な元素であり、その効果を発揮させるためには、0.0005％以上の添加が必要である。一方、0.0050％を超えて添加すると、清浄度の低下を招き靭性を劣化させるので、Caを添加する場合は、0.0050％以下とするのが好ましい。より好ましくは0.0005〜0.0025％の範囲である。
【００５７】
REM:0.0005〜0.0200％
REMも、Caと同様に鋼中で酸化物および硫化物を形成して材質を改善する効果があり、その効果を得るためには0.0005％以上の添加が必要である。一方、0.0200％を超えて添加しても、その効果が飽和するため、REMを添加する場合は、0.0200％以下とするのが好ましい。より好ましくは0.0005〜0.0100％の範囲である。
【００５８】
CeqIIW （％）≧ 0.57
本発明では、板厚中心部において高強度と良好な靭性を確保するために、適切な成分の添加が必要であり、下記の（1）式で定義するCeqIIW （％）がCeqIIW ≧ 0.57の関係を満たすように成分を添加することが重要である。
CeqIIW = C + Mn/6 + （Cu + Ni）/15 + （Cr + Mo + V）/5 ≧ 0.57 -（1）
なお、式中の各元素記号はそれぞれの元素の含有量（質量％）を示す。
【００５９】
次に、本発明の製造条件について説明する。
以下の説明において、温度「℃」は、板厚中心部における温度を意味するものとする。特に、本発明における厚鋼板の製造方法では、鋼素材中のセンターポロシティなどの鋳造欠陥を無害化させるため、下記に記載の条件で鋼素材に熱間鍛造を施すことを必須とする。
【００６０】
鋼素材の熱間加工条件
加熱温度：1200〜1350℃
上述の組成を有する鋳片または鋼片の鋼素材を転炉、電気炉、真空溶解炉等、通常公知の方法で溶製し連続鋳造した後、1200〜1350℃に再加熱する。再加熱温度が1200℃未満では、所定の熱間加工の累積圧下量と温度下限を確保できず、また、熱間鍛造時の変形抵抗が高く、１パスあたりの十分な圧下量を確保できない。その結果、必要パス数が増加することで、製造能率の低下を招くだけでなく、鋼素材中のセンターポロシティなどの鋳造欠陥を圧着して無害化することができないため、1200℃以上とする。一方、再加熱温度が1350℃を超えると、過大なエネルギーを消費し、加熱時のスケールにより表面疵が生じやすくなり、熱間鍛造後の手入れ負荷が増大するため、上限は1350℃とする。
【００６１】
熱間鍛造の鍛造温度：1000℃以上
熱間鍛造の鍛造温度が1000℃未満の場合、熱間鍛造時の変形抵抗が高くなるため、鍛造機への負荷が大きくなり、センターポロシティを確実に無害化することができなくなるため1000℃以上とする。なお、鍛造温度の上限に特に限定はないが、製造コストの観点から1350℃程度が好ましい。
【００６２】
対向する金型の形状が非対称
本発明における熱間鍛造は、連続鋳造スラブの幅方向に長辺を持ち、連続鋳造スラブの進行方向に短辺を有した対向する１対の金型によって行われるが、図１に示すように、この対向する金型の短辺同士が異なる長さを有しているところに本発明の熱間鍛造の特徴がある。
そして、この対向する金型の１対の短辺のうち、短い方の短辺（図１中では上金型の短辺）の長さを１とした時、これに対向する金型の短辺（図１中では下金型の短辺）を、短い方の短辺に比して1.1から3.0の長さの金型とすることで、歪分布を非対称にすることができるのみならず、鍛造時に加えられる歪が最小となる位置と、連続鋳造スラブのセンターポロシティの発生位置とを合致させないことが可能となる結果、センターポロシティをより確実に無害化できるのである。
上記短い方の短辺と長い方の短辺の比が1.1未満の場合には、十分な無害化効果が得られない一方で、3.0を超える場合には、熱間鍛造の著しい能率の低下を招く。従って、本発明における熱間鍛造に用いる金型は、対向する１対の金型の短辺同士において、短い方の短辺を１とすると、対向する短辺は、1.1から3.0の長さを有することが肝要である。なお、上記金型の短い方の短辺を有する金型が、連続鋳造スラブの上方であっても下方であっても構わない。対向する側の金型の短辺が上記比を満足する長さであれば良い。すなわち、図１において、下金型の短辺が短くても良い。
【００６３】
また、上下金型の短辺を同じにした場合（図中白丸で表す従来金型）と、短い方の短辺と長い方の短辺の比を2.5とした場合（図中黒丸で表す本発明に従う金型）との素材（鋼板）中の相当塑性ひずみを、素材の板厚方向に計算した結果を、図２に示す。なお、上記金型を用いた熱間鍛造の条件は、金型形状以外は同じとし、加熱温度：1250(℃)、加工開始温度：1215(℃)、加工終了温度：1050(℃)、累積圧下量：16（％）、歪速度：0.1（/s）、最大1パス圧下量：８（％）、幅方向加工無し、とした。
図２より、本発明に従う金型を用いた熱間鍛造の方が、素材中心まで、十分な歪を付与できていることが分かる。
【００６４】
熱間鍛造の累積圧下量：15％以上
熱間鍛造の累積圧下量が15％未満の場合、鋼素材中のセンターポロシティなどの鋳造欠陥を圧着し無害化することができないため、15％以上とする。連続鋳造スラブの幅方向を熱間鍛造することで厚みを増した場合は、その厚みからの累積圧下量とする。
【００６５】
熱間鍛造の歪速度：３/s以下
熱間鍛造の歪速度が３/sを超えると、熱間鍛造時の変形抵抗が高くなり、鍛造機への負荷が増大し、センターポロシティを無害化することができなくなるため３/s以下とする。
また、歪速度が0.01/s未満となる場合、熱間鍛造時間が長くなることで生産性が低下するため、0.01/s以上とすることが好ましい。より好ましくは、0.05/s〜１/sの範囲である。
【００６６】
熱間鍛造時の圧下率を、１パス当たり、５％以上または７％以上とした鍛造を１回以上適用
熱間鍛造時の圧下率を大きくすることで、微細なセンターポロシティの鍛造後の残存量が低下する。そのため５％／パス以上の鍛造を熱間鍛造時に１回以上適用すると、板厚方向引張試験時の絞りが鋼中のセンターポロシティを圧着してそのサイズを100μm以下にし、実質無害化することができるため、40％以上となる。他方、７％／パス以上の鍛造を熱間鍛造時に１回以上適用すると、鋼中のセンターポロシティのサイズをより微細にすることができるため、板厚方向引張試験時の絞りが45％以上の製品を製造することが可能になる。
【００６７】
熱間鍛造時の少なくとも１パスを当該パスの最大荷重×0.9以上最大荷重以下の負荷荷重における累積経過時間を３s以上
熱間鍛造時において、少なくとも１パスを、そのパスにおける最大荷重×0.9以上最大荷重以下の負荷荷重における累積経過時間を３s以上とするように鍛造することで、センターポロシティが拡散的に接合して消滅するために、板厚方向引張試験時の絞りを向上させることができる。
【００６８】
なお、本発明では、熱間鍛造後に熱間圧延して所望の板厚の鋼板とし、板厚中心部においても620MPa以上の降伏強度および良好な靭性を確保するため、焼入れ焼戻し処理を行うことが可能である。
【００６９】
熱間鍛造後の鋼素材の再加熱温度：Ac3点〜1250℃
鋼素材をAc3変態点以上に加熱するのは、鋼をオーステナイト組織一相に均一化するためであり、加熱温度としては、Ac3点以上1250℃以下とするのが好ましい。
ここで、本発明では、Ac3変態点を、下記式（2）により計算される値とする。
Ac3 （℃）= 937.2 - 476.5Ｃ + 56Si - 19.7Mn - 16.3Cu - 26.6Ni - 4.9Cr + 38.1Mo + 124.8Ｖ + 136.3Ti + 198.4Al + 3315Ｂ  ・・・(2)
なお、（2）式での各元素記号はそれぞれの合金元素の鋼中含有量（質量％）を示す。
【００７０】
１パス当たりの圧下率が４％以上のパスを少なくとも２回以上行う熱間圧延
本発明では、再度、Ac3点以上1250℃以下に加熱後、１パス当たりの圧下率が４％以上のパスを少なくとも２回以上行う熱間圧延を行うことが好ましい。このような圧延を行うことで、板厚中心部に十分な加工を加えることが可能となり、再結晶の促進により組織が微細化し機械的特性が向上するためである。
【００７１】
熱間圧延後の熱処理条件
板厚中心部での強度と靭性を得るために、本発明では熱間圧延後放冷し、Ac3点〜1050℃に再加熱し、少なくともAr3点以上の温度から350℃以下になるまで急冷する。再加熱温度を1050℃以下とするのは、1050℃を超える高温の再加熱ではオーステナイト粒の粗大化による母材靭性の低下が著しく低下するためである。
ここで、本発明では、Ar3変態点を、下記式（3）により計算される値とする。
Ar3 （℃）= 910 - 310Ｃ - 80Mn - 20Cu - 15Cr - 55Ni - 80Mo     ・・・（3）
なお、（3）式での各元素記号はそれぞれの元素の鋼中含有量（質量％）を示す。
【００７２】
板厚中心部の温度は、板厚、表面温度および冷却条件等から、シミュレーション計算等により求められる。例えば、差分法を用い、板厚方向の温度分布を計算することにより、板厚中心温度が求められる。
急冷の方法は、工業的には水冷とすることが一般的であるが、冷却速度は可能な限り速いほうが望ましいため、冷却方法は水冷以外でも良く、例えばガス冷却などの方法もある。
【００７３】
焼戻し処理温度：450〜700℃
急冷後、450〜700℃で焼もどすのは、450℃未満では残留応力の除去効果が少なく、一方、700℃を超える温度では、種々の炭化物が析出するとともに、母材の組織が粗大化し、強度、靭性が大幅に低下するためである。
工業的には、鋼の強靭化を目的に繰返し焼入れする場合があり、本発明においても繰り返し焼入れしても良いが、最終の焼入れの際に、Ac3点〜1050℃に加熱後、350℃以下になるまで急冷し、その後450〜700℃で焼もどすことが好適である。
【００７４】
以上説明したように、本発明の鋼板の製造では、焼入れ焼戻しを行うことによって、強度および靭性に優れる鋼板を製造することが可能となる。
【実施例】
【００７５】
次に、本発明の実施例について説明する。
表１に示すNo.１〜35の鋼を溶製し、連続鋳造スラブとした後、表２に示す条件で、熱間加工および熱間圧延を施し、その際、板厚を100〜240mmの範囲の鋼板とし、その後、焼入れ、焼戻し処理を行って、表２に示した試料No.１〜49の製品を製造し、下記の試験に供した。
I  引張試験
各鋼板の板厚中心部から、圧延方向と直角方向に丸棒引張試験片（Φ：12.5mm、 GL：50mm）を採取し、降伏強度（YS）、引張強度（TS）を測定した。
II  板厚方向引張試験
各鋼板について板厚方向に丸棒引張試験片（φ10mm）を３本採取し、破断後の絞りを測定し、その最小値で評価した。
III  シャルピー衝撃試験
各鋼板の板厚中心部から、圧延方向を長手方向とする２mmVノッチシャルピー試験片を各３本ずつ採取し、各試験片について-40℃でシャルピー衝撃試験により吸収エネルギー（VE-40）を測定し、それぞれ３本の平均値を求めた。
上記の試験結果を表２に併記する。【００７６】
【表１】
2015140846.tif 000003
【００７７】
【表２】
2015140846.tif 000004
【００７８】
表２に示された結果から、鋼の鍛造条件が本発明の範囲に適合する鋼板（試料No.1〜35、40〜44、46、48、49）は、板厚方向引張試験時の絞りが40％以上であり、板厚方向引張特性が優れていることがわかる。さらに、鋼の製造条件と成分組成が共に本発明の好適範囲に適合する鋼板（試料No.1〜24）では、いずれもYSが620MPa以上、TSが720MPa以上、母材の靭性（VE-40）が70Ｊ以上、板厚方向引張試験時の絞りが40％以上であり、母材の強度・靭性、板厚方向引張特性のいずれにおいても優れていることが分かる。【００７９】
なお、試料No.36〜49に示すように、鋼の製造条件が本発明に適合していない場合、YSや、TS、靭性（VE-40）、および、板厚方向引張試験時の絞りの特性が、上記所望特性に満たず、本発明より劣っている。
【図１】
2015140846.tif 000005
【図２】
2015140846.tif 000006
【手続補正書】
【提出日】平成29年1月30日(2017.1.30)
【手続補正１】
【補正対象書類名】特許請求の範囲
【補正対象項目名】全文
【補正方法】変更
【補正の内容】
【特許請求の範囲】
【請求項１】
板厚中心部における板厚方向引張による絞り値が40％以上であり、板厚：100mm以上であって、かつ降伏強度が620MPa以上であって、靭性（VE-40）が70Ｊ以上である厚肉高靭性高張力鋼板。
【請求項２】
質量％で、Ｃ:0.08〜0.20％、Si:0.40％以下、Mn:0.5〜5.0％、Ｐ:0.015％以下、Ｓ:0.0050％以下、Cr:3.0％以下、Ni:5.0％以下、Ti:0.005〜0.020％、Al:0.080％以下、Ｎ:0.0070％以下およびＢ:0.0030％以下を含有し、かつ以下の（１）式の関係を満たし、残部はFeおよび不可避的不純物からなる請求項１に記載の厚肉高靭性高張力鋼板。
CeqIIW ＝ Ｃ+Mn/6+(Cu+Ni)/15+(Cr+Mo+Ｖ)/5 ≧ 0.57・・・（１）
上式において各元素記号は鋼中の含有量（質量％）とし、含有しないものは０として計算する。
【請求項３】
さらに、質量％で、Cu:0.50％以下、Mo:1.50％以下、Ｖ:0.200％以下およびNb:0.100％以下のうちから選んだ１種または２種以上を含有する請求項２に記載の厚肉高靭性高張力鋼板。
【請求項４】
さらに、質量％で、Mg:0.0005〜0.0100％、Ta：0.01〜0.20％、Zr:0.005〜0.1％、Ｙ:0.001〜0.01％、Ca:0.0005〜0.0050％およびREM:0.0005〜0.0200％のうちから選んだ１種または２種以上を含有することを特徴とする請求項２または３に記載の厚肉高靭性高張力鋼板。
【請求項５】
請求項１〜４のいずれかに記載の厚肉高靭性高張力鋼板を製造する方法であって、連続鋳造スラブを、1200〜1350℃に加熱後、対向する金型の短辺のうち短い方を１とした場合に、これに対向する金型の短辺の長さが1.1〜3.0となる金型を用いて、1000℃以上で、歪速度を３/s以下とし、累積圧下量を15％以上とする熱間鍛造を行った後、熱間圧延を行い、その後、焼入れ焼戻しをする厚肉高靭性高張力鋼板の製造方法。
【請求項６】
請求項１〜５のいずれかに記載の厚肉高靭性高張力鋼板を製造する方法であって、連続鋳造スラブを、1200〜1350℃に加熱後、対向する金型の短辺のうち短い方を１とした場合に、これに対向する金型の短辺の長さが1.1〜3.0となる金型を用いて、1000℃以上で、歪速度を３/s以下とし、累積圧下量を15％以上とする熱間鍛造を行った後、放冷し、再度、Ac3点〜1250℃に加熱後、１パス当たりの圧下率が４％以上のパスを少なくとも２回以上行う熱間圧延を行った後、放冷して、Ac3点〜1050℃に再加熱し、さらにAr3点〜350℃になるまで急冷した後、450〜700℃の範囲で焼戻しをする厚肉高靭性高張力鋼板の製造方法。
【請求項７】
前記厚肉高靭性高張力鋼板における加工前の素材からの圧下比を３以下とする請求項５または６に記載の厚肉高靭性高張力鋼板の製造方法。
【請求項８】
前記熱間鍛造時に、圧下率が１パス当たり５％以上の鍛造を１回以上適用する請求項５〜７のいずれかに記載の厚肉高靭性高張力鋼板の製造方法。
【請求項９】
前記熱間鍛造時に、圧下率が１パス当たり７％以上の鍛造を１回以上適用する請求項５〜７のいずれかに記載の厚肉高靭性高張力鋼板の製造方法。
【請求項１０】
前記熱間鍛造時に、少なくとも１パスを、該パスの最大荷重×0.9以上最大荷重以下の負荷荷重における累積経過時間を３s以上とする請求項５〜９のいずれかに記載の厚肉高靭性高張力鋼板の製造方法。
【国際調査報告】
2015140846.tif 000007
2015140846.tif 000008
2015140846.tif 000009
2015140846.tif 000010